(57)【特許請求の範囲】
【請求項１】
下方に向かって長手方向に沿って開口する手摺本体開口部を備えた長尺部材よりなる手摺本体と、前記手摺本体開口部にはめ込むことによって手摺本体の外表面と連続する被係合部材とを備え、手摺本体は、縦断面形状が略円形状であって長手方向に延び、笠木本体の外表面を覆って笠木本体より軟らかい材質からなる軟質部を備えた笠木と、その笠木が外側にはめ込まれる笠木受けとを備えて形成され、被係合部材は、前記手摺本体よりも変形度が大きい弾性部材により形成され、且つ、手摺本体開口部に取り付けた場合には、被係合部材の下端面が笠木の外表面と連続して手摺本体の下端部を形成し、被係合部材の下端面は笠木受け側にむけて凹んだ曲面状に形成されていることを特徴とする手摺構造。
【請求項２】
笠木本体又は外表面の軟質部は、セルロース系材料の微粉末の表面にこの微粉末よりも小径で、かつ硬い微粉末を担持させて作成した粉体を混合した樹脂を着色成形することによって木目模様を呈することとなるように形成したことを特徴とする請求項１記載の手摺構造。
【発明の詳細な説明】
【０００１】
【産業上の利用分野】
本発明は、階段などで使用される手摺の構造に関する。
【０００２】
【先行技術】
従来より、階段等の壁からなる建物躯体に固定された手摺が使用されている。このタイプの手摺は、手で握る手摺本体を縦断面が略円形状であって、その直径がおよそ手で握れる程度の太さの長尺部材により形成しているものが多い。この手摺により、手摺本体の外表面に手を一周させることができるため、手摺が握りやすくなる。
【０００３】
【発明が解決しようとする課題】
しかし、上記した手摺にあっては、以下のような問題があった。
すなわち、この手摺を使用する者は、手摺本体を握りしめることにより身体を支持する。したがって、手摺本体を握った手を固定するのは、手摺本体を使用する者の握力に大きく依存することになる。そのため、手摺を使用する者の握力が弱い場合には、手摺本体を強く握りしめることが困難であるという問題があった。
【０００４】
そこで請求項１記載の発明の解決課題は、上記問題に鑑みて、握力が弱い場合でも手摺本体が握りやすいため、強く握ることが可能となる手摺を提供することである。
そして、請求項１記載の発明は、手摺本体の外表面のデザインを容易に変えることにより、手摺の外観品質の向上を図り、且つ、手摺本体を握った場合に触れる指先が安定しやすいようにすることができる手摺を提供することである。
【０００５】
また、請求項２記載の発明の解決課題は、請求項１記載の発明の解決課題に加えて、手間をかけずに製品品質のばらつきが少ない上に木目模様を呈することができ、外観が良好な手摺を提供することである。
【０００６】
【課題を解決するための手段】
本発明は、上記した目的を達成するためのものである。
請求項１記載の発明は、下方に向かって長手方向に沿って開口する手摺本体開口部(11)を備えた長尺部材よりなる手摺本体(10)と、前記手摺本体開口部(11)にはめ込むことによって手摺本体(10)の外表面と連続する被係合部材(20)とを備え、その被係合部材(20)は、前記手摺本体(10)よりも変形度が大きい弾性部材により形成され、手摺本体開口部（11）に取り付けた場合には、被係合部材（20）の下端面（21）が笠木（30）の外表面と連続して手摺本体（10）の下端部を形成し、被係合部材（20）の下端面（21）は、手摺本体（10）を握った場合に触れる指先が安定しやすいように、笠木受け（40）側にむけて凹んだ曲面状に形成とされたことを特徴とする手摺構造である。
【０００７】
「手摺本体(10)」は、天然木や、成型加工が容易な部材、例えば塩化ビニル樹脂などにより形成し、「被係合部材(20)」は、手摺を握った場合に、被係合部材(20)に接触した指先などが加える力により弾性変形する部材、例えば軟質塩化ビニル樹脂などにより形成する。請求項１記載の発明の作用を説明する。
【０００８】
請求項１記載の発明は、手摺本体(10)の下端に弾性変形可能な被係合部材(20)を係合させる。そのため、指先などが被係合部材(20)に接触するように手摺を握った場合には、被係合部材(20)が弾性変形をして凹むため、指先などが手摺本体(10)の手摺本体開口部(11)の端部にひっかかる。その結果、手摺を握りやすくなり、強く握ることができる。
【０００９】
更に、請求項１記載の発明は、手摺本体(10)は、縦断面形状が略円形状であって長手方向に延びる笠木(30)と、その笠木(30)が外側にはめ込まれる笠木受け(40)とを備えて形成したことを特徴とする手摺構造である。
「笠木(30)」は、曲げ加工が容易な部材、例えば塩化ビニル樹脂により形成し、「笠木受け(40)」は、曲げ加工が容易で、かつ、自重でたわむことが少ない部材、例えばアルミニウムを用いた長尺部材により形成する。
【００１０】
この請求項１記載の発明の構成による作用を説明する。
この請求項１記載の発明によれば、笠木(30)と笠木受け(40)とが別体に形成されているため、手摺本体(10)の外表面を形成する笠木(30)を容易に取り替えることができる。従って、容易に手摺の外表面のデザインを変えることができ、外観品質を向上させることが可能となる。
【００１１】
請求項２記載の発明は、笠木(30)は、セルロース系材料の微粉末の表面にこの微粉末よりも小径で、かつ硬い微粉末を担持させて作成した粉体を混合した樹脂を着色成形することによって木目模様を呈することとなるように形成したことを特徴とする請求項１記載の手摺構造である。
ここで「セルロース系材料」とは木粉等をいう。また、「微粉末よりも小径でかつ固い微粉末」とは、酸化チタン、フェライト、アルミニウム、ニッケル、銀等の金属微粉末、あるいはセラミック等の非金属微粉末をいうものである。
【００１２】
「笠木(30)」は、上述したような材質からなるため、外部から見える笠木(30)の外表面に木目模様を出すことができるものである。また、木質材料では原料となる天然木材の違いや、含有水分の違い等による品質のバラツキが発生するが上述したような材質からなる笠木(30)ではそのようなことがなく、製品のバラツキを抑えることができる。
【００１３】
そして、「粉体を混合した樹脂」からなるため、通常の木質材料よりも水分を吸収し難く、仮に水分が付着しても水分をふき取ったりすれば良く、メンテナンスを容易にすることができるものである。すなわち、外観上は木目模様を呈することができて木製品と同様の外観を形成することができるが、耐水性に関しては木製品と比較してはるかに水に強い笠木(30)を使用した手摺構造を提供できるものである。
【００１４】
また、笠木(30)を「粉体を混合した樹脂」により形成するため、曲げ加工が容易にできる。この場合、笠木受け(40)もアルミニウムのように曲げ加工が容易な部材により形成することによって、手摺本体(10)を曲げて連続させることができる。
【００１５】
【発明の実施の形態】
以下、本発明の実施の形態及び図面に基づいて、更に詳しく説明する。ここで使用する図面は、図１、図２である。図１は、本発明の一実施の形態を示すための斜視図である。図２は、本発明の一実施の形態を示すための斜視図であって、階段の壁に取り付けた状態を示す。
【００１６】
まず、図１に基づいて説明する。
図１に記載した手摺は、縦断面形状が略円形状であって長手方向に延びる塩化ビニル製の笠木30と、その笠木30を外側にはめ込んだアルミニウム製の笠木受け40とにより手摺本体10を形成する手摺である。そして、この笠木30は、下方に向かって長手方向に沿って開口する笠木開口部31を備えている。なお、この笠木30は、笠木本体33と、この笠木本体33の外表面を覆って笠木本体33より軟らかい材質からなる軟質部32とを備えている。さらに、笠木30は、一般の成人が手摺本体10をちょうど手で握って使用することができるサイズに形成する。具体的には、図１に示す実施の形態においては、笠木30において最も幅が広い部分を34ｍｍとなるように形成している。
【００１７】
また、笠木受け40は、その外面が笠木30の内面にはめ込み可能に略円形状に形成されている。そして、その笠木受け40は、その下部において長手方向に沿って下方に開口する笠木受け開口部41を備えている。この笠木受け開口部41と前記笠木開口部31とにより、縦断面形状が略矩形状の手摺本体開口部11が形成されている。
【００１８】
その手摺本体開口部11に、手摺本体10よりも変形度が大きい弾性部材、例えば軟質塩化ビニル樹脂により形成した長尺状の被係合部材20をはめ込む。その被係合部材20は、手摺本体開口部11に取り付けた場合には、被係合部材20の下端面21が笠木30の外表面と連続して手摺本体10の下端部を形成する。その下端面21は、手摺本体10を握った場合に触れる指先が安定しやすいように、笠木受け40側にむけて凹んだ曲面状に形成する。
【００１９】
この手摺の取付方法を図２に基づいて説明する。
まず、笠木受け40を固定用部材を用いて階段の壁に固定する。この階段が図２に示すように、中折れ階段であっても、笠木30および笠木受け40は曲げ加工が容易な部材により形成しているため、壁の入隅形状および階段の勾配の変化に沿わせて連続するように形成することができる。そして、その笠木受け40の外側に、笠木30をはめ込んで手摺本体10を形成する。そのあと、笠木30および笠木受け40の下端にある笠木開口部31と笠木受け開口部41とにより形成される手摺本体開口部11に、被係合部材20をはめ込む。その被係合部材20は、はめ込まれることにより、下端面21が手摺本体10の外表面と連続して手摺を形成する。
【００２０】
本実施の形態にかかる発明の作用を説明する。
手摺本体10の下端に弾性変形可能な被係合部材20を係合させる。この被係合部材20の下端面21は、笠木30の外表面と連続して手摺本体10の下端部を形成し、且つ、笠木受け40側にむけて凹んだ曲面状とされる。そのため、指先などが被係合部材20に接触するように手摺を握ることができ、指先などが被係合部材20に接触するように手摺を握った場合には、被係合部材20が弾性変形をして凹むため、指先などが手摺本体10の手摺本体開口部11の端部にひっかかる。その結果、手摺を握りやすくなり、強く握ることができる。
【００２１】
上記実施の形態においては、笠木30を塩化ビニル樹脂により形成するとしたが、笠木30は、セルロース系材料の微粉末の表面にこの微粉末よりも小径で、かつ硬い微粉末を担持させて作成した粉体を混合した樹脂を着色成形することによって木目模様を呈することができる熱可塑性プラスチックにより形成してもよい。この場合には、外部から見える手摺本体10の外表面に木目模様を出すことができる。また、木質材料では原料となる天然木材の違いや、含有水分の違い等による品質のバラツキが発生するが上述したような材質からなる笠木30ではそのようなことがなく、製品のバラツキを抑えることができる。
【００２２】
そして、「粉体を混合した樹脂」からなるため、通常の木質材料よりも水分を吸収し難く、仮に水分が付着しても水分をふき取ったりすれば良く、メンテナンスを容易にすることができるものである。すなわち、外観上は木目模様を呈することができて木製品と同様の外観を形成することができるが、耐水性に関しては木製品と比較してはるかに水に強い笠木30を提供できるものである。
【００２３】
【発明の効果】
請求項１記載の発明により、握力が弱い場合でも手摺本体が握りやすいため、強く握ることが可能となる手摺を提供することができた。
そして、この請求項１記載の発明により、手摺本体の外表面のデザインを容易に変えることにより、手摺の外観品質の向上を図ることができる手摺を提供することができた。
【００２４】
また、請求項２記載の発明により、手間をかけずに製品品質のばらつきが少ない上に木目模様を呈することができ、外観が良好な手摺を提供することができた。
【図面の簡単な説明】
【図１】本発明の一実施の形態を示す斜視図である。
【図２】  本発明の一実施の形態を示す斜視図である。
【符号の説明】
10  手摺本体                    11  手摺本体開口部
20  被係合部材                  21  下端面
30  笠木                        31  笠木開口部
32  軟質部                      33  笠木本体
40  笠木受け                    41  笠木受け開口部
【図１】
0003729427.tif 000002
【図２】
0003729427.tif 000003